【手続補正書】
【提出日】令和1年8月29日(2019.8.29)
【手続補正１】
【補正対象書類名】明細書
【補正対象項目名】０００７
【補正方法】変更
【補正の内容】
【０００７】
上述した課題を解決するために本発明は、
ユーザ端末装置、ビーコン端末装置、サーバ装置を備え、前記ユーザ端末装置と前記ビーコン端末装置と前記サーバ装置との通信により前記ユーザ端末装置にオブジェクトを表示するオブジェクト表示システムであって、
前記ビーコン端末装置は、画像情報を当該装置の表面に表し、所定の識別情報を含むビーコン信号を発信する発信手段を備え、
前記ユーザ端末装置は、
撮像手段と、
この撮像手段による撮像結果に基づくライブビュー画像を表示する表示手段と、
前記撮像手段による撮像結果に含まれる前記ビーコン端末装置の画像情報を認識して、前記ライブビュー画像内の前記ビーコン端末装置の位置を特定する特定手段と、
前記ビーコン端末装置から発信されたビーコン信号を受信して、このビーコン信号に含まれる前記所定の識別情報を前記サーバ装置に送信する識別情報送信手段と、
前記識別情報送信手段によって送信された前記所定の識別情報の送信に応答して、前記サーバ装置から送信されてくる当該識別情報に対応するオブジェクトの管理情報を受信する管理情報受信手段と、
前記管理情報受信手段によって受信されたオブジェクトの管理情報に基づくオブジェクトを、前記ライブビュー画像内の前記特定手段によって特定された位置に表示させるよう前記表示手段を制御する表示制御手段と、
を備え、
前記サーバ装置は、
各種のオブジェクトの管理情報を前記所定の識別情報と対応付けて記憶するオブジェクト記憶手段と、
前記識別情報送信手段によってユーザ端末装置から送信されてくる前記所定の識別情報を受信する識別情報受信手段と、
この識別情報受信手段によって受信された所定の識別情報に対応するオブジェクトの管理情報を前記オブジェクト記憶手段から取得して前記ユーザ端末装置に送信する管理情報送信手段と、
を備える、ことを特徴とする。
【手続補正２】
【補正対象書類名】特許請求の範囲
【補正対象項目名】全文
【補正方法】変更
【補正の内容】
【特許請求の範囲】
【請求項１】
ユーザ端末装置、ビーコン端末装置、サーバ装置を備え、前記ユーザ端末装置と前記ビーコン端末装置と前記サーバ装置との通信により前記ユーザ端末装置にオブジェクトを表示するオブジェクト表示システムであって、
前記ビーコン端末装置は、画像情報を当該装置の表面に表し、所定の識別情報を含むビーコン信号を発信する発信手段を備え、
前記ユーザ端末装置は、
撮像手段と、
この撮像手段による撮像結果に基づくライブビュー画像を表示する表示手段と、
前記撮像手段による撮像結果に含まれる前記ビーコン端末装置の画像情報を認識して、前記ライブビュー画像内の前記ビーコン端末装置の位置を特定する特定手段と、
前記ビーコン端末装置から発信されたビーコン信号を受信して、このビーコン信号に含まれる前記所定の識別情報を前記サーバ装置に送信する識別情報送信手段と、
前記識別情報送信手段によって送信された前記所定の識別情報の送信に応答して、前記サーバ装置から送信されてくる当該識別情報に対応するオブジェクトの管理情報を受信する管理情報受信手段と、
前記管理情報受信手段によって受信されたオブジェクトの管理情報に基づくオブジェクトを、前記ライブビュー画像内の前記特定手段によって特定された位置に表示させるよう前記表示手段を制御する表示制御手段と、
を備え、
前記サーバ装置は、
各種のオブジェクトの管理情報を前記所定の識別情報と対応付けて記憶するオブジェクト記憶手段と、
前記識別情報送信手段によってユーザ端末装置から送信されてくる前記所定の識別情報を受信する識別情報受信手段と、
この識別情報受信手段によって受信された所定の識別情報に対応するオブジェクトの管理情報を前記オブジェクト記憶手段から取得して前記ユーザ端末装置に送信する管理情報送信手段と、
を備える、
ことを特徴とするオブジェクト表示システム。
【請求項２】
前記所定の識別情報は、予め前記ユーザ端末装置と対応付けられており、
前記表示制御手段は、前記ビーコン端末装置から受信した前記所定の識別情報が前記ユーザ端末装置と対応付けられているか否かに応じて、前記オブジェクトの表示を制御する、
ことを特徴とする請求項１に記載のオブジェクト表示システム。
【請求項３】
前記ユーザ端末装置の前記識別情報送信手段は、自端末装置または自端末装置のユーザを識別するユーザ識別情報を更に前記サーバ装置に送信し、
前記サーバ装置は、送信されたユーザ識別情報と前記所定の識別情報とを対応付けて記憶するユーザ情報記憶手段を更に備える、
ことを特徴とする請求項１又は２に記載のオブジェクト表示システム。
【請求項４】
ユーザ端末装置とビーコン端末装置との通信により前記ユーザ端末装置にオブジェクトを表示するオブジェクト表示システムであって、
前記ビーコン端末装置は、
画像情報を当該装置の表面に表し、所定の識別情報を含むビーコン信号を発信する発信手段を備え、
前記ユーザ端末装置は、
撮像手段と、
この撮像手段による撮像結果に基づくライブビュー画像を表示する表示手段と、
前記所定の識別情報に対応付けられたオブジェクトの管理情報を記憶するオブジェクト記憶手段と、
前記撮像手段による撮像結果に含まれる前記ビーコン端末装置の画像情報を認識して、前記ライブビュー画像内の前記ビーコン端末装置の位置を特定する特定手段と、
前記ビーコン端末装置から発信されたビーコン信号を受信して、この受信されたビーコン信号に含まれる所定の識別情報を取得する取得手段と、
この取得手段によって取得された所定の識別情報に対応するオブジェクトの管理情報を前記オブジェクト記憶手段から取得し、この管理情報に基づくオブジェクトを前記ライブビュー画像内の前記特定手段によって特定された位置に表示させるよう前記表示手段を制御する表示制御手段と、
を備える、
ことを特徴とするオブジェクト表示システム。
【請求項５】
前記所定の識別情報は、予め前記ユーザ端末装置と対応付けられており、
前記表示制御手段は、前記ビーコン端末装置から受信した前記所定の識別情報が前記ユーザ端末装置と対応付けられているか否かに応じて、前記オブジェクトの表示を制御する、
ことを特徴とする請求項４に記載のオブジェクト表示システム。
【請求項６】
前記ビーコン端末装置と前記ユーザ端末装置との接続時に相互通信によるペアリングを行う、
ことを特徴とする請求項１乃至５の何れか１項に記載のオブジェクト表示システム。
【請求項７】
前記ユーザ端末装置は、
前記ビーコン端末装置をペアリング相手として記憶管理するペアリング記憶手段と、
前記ビーコン端末装置から所定の識別情報を含むビーコン信号を受信した際、前記ペアリング記憶手段を参照して、前記ビーコン信号を発信した前記ビーコン端末装置がペアリング相手であるか否かを判別する判別手段と、
を更に備え、
前記表示制御手段は、前記判別手段によりペアリング相手であると判別された場合に、前記所定の識別情報に対応するオブジェクトを前記ライブビュー画像内に表示させるよう制御する、
ことを特徴とする請求項６に記載のオブジェクト表示システム。
【請求項８】
前記ビーコン端末装置の発信手段は、少なくとも自端末装置を識別する情報、前記ユーザ端末装置に表示されるオブジェクトを識別する情報のいずれかを前記所定の識別情報として発信する、
ことを特徴とする請求項１乃至７の何れか１項に記載のオブジェクト表示システム。
【請求項９】
前記ビーコン端末装置の表面に表されている画像情報は、前記ライブビュー画像内の自身の位置に加え、前記オブジェクトの表示方向を示し、
前記オブジェクトは、３次元コンピュータグラフィックスで生成されたフィギュア画像であり、
前記特定手段は、前記ライブビュー画像内に写し込まれている前記画像情報を認識することによってライブビュー画像内での自身の位置と前記オブジェクトの表示方向を特定し、
前記表示制御手段は、前記特定手段によって特定された位置及び表示方向に合わせて前記ライブビュー画像内に前記フィギュア画像を表示させるよう制御する、
ことを特徴とする請求項１乃至８の何れか１項に記載のオブジェクト表示システム。
【請求項１０】
前記ビーコン端末装置の表面に表されている画像情報は、更に、前記フィギュア画像を構成する画像のうちのその特徴部分を示すものである、
ことを特徴とする請求項９に記載のオブジェクト表示システム。
【請求項１１】
前記オブジェクトは、各種の基本モーションを組み合わせることによって一連の動作を行う３次元コンピュータグラフィックスのフィギュア画像であり、
前記表示制御手段は、前記ライブビュー画像内にフィギュア画像を表示させる場合、前記各種の基本モーションの出現条件を示す動作制御情報を参照し、その出現条件に合致する基本モーションデータを前記オブジェクト記憶手段に記憶されている前記各種の基本モーションから選択して、前記ライブビュー画像内に逐次表示させるよう制御する、
ことを特徴とする請求項１乃至８の何れか１項に記載のオブジェクト表示システム。
【請求項１２】
前記出現条件は、少なくとも時間帯、場所、出現率のいずれかである、
ことを特徴とする請求項１１に記載のオブジェクト表示システム。
【請求項１３】
前記オブジェクトは、各種の基本モーションとその基本動作を変化させたバリエーション動作を組み合わせることによって一連の動作を行う３次元コンピュータグラフィックスのフィギュア画像であり、
前記表示制御手段は、前記ライブビュー画像内にフィギュア画像を構成する基本モーションデータを逐次選択して表示させる場合に、その基本動作毎にその基本モーションデータに代わってそのバリエーション動作を代行させる代行条件を示す動作制御情報を参照し、その代行条件に該当する場合には、そのときの基本モーションデータに代わって前記オブジェクト記憶手段に記憶されているバリエーションデータを選択する、
ことを特徴とする請求項１乃至８の何れか１項に記載のオブジェクト表示システム。
【請求項１４】
前記代行条件は、ユーザと前記フィギュア画像との関わりに応じて変化するその親密度を表す情報として、少なくとも当該フィギュア画像をアクセスした累計時間、そのアクセス頻度のいずれかであり、
前記表示制御手段は、前記親密度に応じて、前記基本モーションデータに代わってバリエーションデータを選択する、
ことを特徴とする請求項１３に記載のオブジェクト表示システム。
【請求項１５】
前記ユーザ端末装置は、前記ライブビュー画像内に前記フィギュア画像が表示されている状態でユーザ操作を受け付ける操作手段を更に備え、
前記代行条件は、前記操作手段により操作されたユーザ操作の種類を示す情報であり、
前記表示制御手段は、前記ユーザ操作の種類に応じて、前記基本モーションデータに代わってバリエーションデータを選択する、
ことを特徴とする請求項１３又は１４に記載のオブジェクト表示システム。
【請求項１６】
前記ライブビュー画像内に前記フィギュア画像が表示される際の環境情報として、現在の季節を示す情報と場所を示す情報を取得する環境情報取得手段を更に備え、
前記代行条件は、前記環境情報取得手段により取得された環境情報であり、
前記表示制御手段は、前記環境情報取得手段により取得された環境情報に応じて、前記基本モーションデータに代わってバリエーションデータを選択する、
ことを特徴とする請求項１３乃至１５の何れか１項に記載のオブジェクト表示システム。
【請求項１７】
前記ビーコン端末装置は、前記ユーザ端末装置の状態を報知する報知手段を更に備え、
前記ユーザ端末装置は、所定の状態になった際に、前記ビーコン端末装置に対して前記報知手段の駆動を指示する報知指示を送信する、
ことを特徴とする請求項１乃至１６の何れか１項に記載のオブジェクト表示システム。
【請求項１８】
前記ビーコン端末装置は、前記ビーコン端末装置との接続を検出した際に、その接続を報知する報知手段を更に備える、
ことを特徴とする請求項１乃至１７の何れか１項に記載のオブジェクト表示システム。
【請求項１９】
前記ユーザ端末装置の撮像手段は、前記ライブビュー画像内に前記フィギュア画像が表示されている状態において、撮影指示操作が行われた際にその撮影指示時に応答してフィギュア画像の動作を停止し、その停止時のフィギュア画像を前記特定手段によって特定された前記ビーコン端末装置の位置に挿入した撮影画像を記録保存する、
ことを特徴とする請求項１３乃至１８の何れか１項に記載のオブジェクト表示システム。
【請求項２０】
前記表示制御手段は、前記ライブビュー画像内にオブジェクトを表示させるよう制御する際に、そのライブビュー画像内に写っている前記ビーコン端末装置の画像部分を消去してその消去部分を補正するよう制御する、
ことを特徴とする請求項１乃至１９の何れか１項に記載のオブジェクト表示システム。
【請求項２１】
前記表示制御手段は、前記ライブビュー画像内にオブジェクトを表示させるよう制御する際に、そのライブビュー画像の明るさ分布から光源方向を特定し、その光源方向の反対側に当該オブジェクトの影を挿入してその部分を補正するよう制御する、
ことを特徴とする請求項１乃至１９の何れか１項に記載のオブジェクト表示システム。
【請求項２２】
撮像手段と、
所定の識別情報に対応付けられたオブジェクトの管理情報を記憶するオブジェクト記憶手段と、
ライブビュー画像内における自身の位置を示す画像情報を表した外部のビーコン端末装置から、前記所定の識別情報を含むビーコン信号を受信するビーコン信号受信手段と、
前記撮像手段によって撮像された結果に基づくライブビュー画像内において、前記画像情報を認識して前記ライブビュー画面内における前記ビーコン端末装置の位置を特定する特定手段と、
前記ビーコン信号受信手段によって受信されたビーコン信号内の前記所定の識別情報に対応するオブジェクトの管理情報を前記オブジェクト記憶手段から取得し、この管理情報に基づくオブジェクトを前記特定手段によって特定されたライブビュー画像内の位置に表示させるよう制御する表示制御手段と、
を備えることを特徴とするユーザ端末装置。
【請求項２３】
撮像手段と所定の識別情報に対応付けられたオブジェクトの管理情報を記憶するメモリとを備えたユーザ端末装置のオブジェクト表示方法であって、
ライブビュー画面内における自身の位置を示す画像情報を表した外部のビーコン端末装置から、前記所定の識別情報を含むビーコン信号を受信する処理と、
前記撮像手段によって撮像された結果に基づくライブビュー画像内において、前記画像情報を認識して前記ライブビュー画面内における前記ビーコン端末装置の位置を特定する処理と、
受信されたビーコン信号内の前記所定の識別情報に対応するオブジェクトの管理情報を前記メモリから取得し、この管理情報に基づくオブジェクトを特定されたライブビュー画像内の位置に表示させるよう制御する処理と、
を含むことを特徴とするオブジェクト表示方法。
【請求項２４】
撮像手段と所定の識別情報に対応付けられたオブジェクトの管理情報を記憶するメモリとを備えたユーザ端末装置のコンピュータに、
ライブビュー画像内における自身の位置を示す画像情報を表した外部のビーコン端末装置から、前記所定の識別情報を含むビーコン信号を受信するビーコン信号受信機能、
前記撮像手段によって撮像された結果に基づくライブビュー画像内において、前記画像情報を認識して前記ライブビュー画面内における前記ビーコン端末装置の位置を特定する特定機能、
前記ビーコン信号受信機能によって受信されたビーコン信号内の前記所定の識別情報に対応するオブジェクトの管理情報を前記メモリから取得し、この管理情報に基づくオブジェクトを特定されたライブビュー画像内の位置に表示させるよう制御する表示制御機能、
を実現させるためのプログラム。